(57)【特許請求の範囲】
【請求項１】
空気調和機本体の空気吹出し口に風向変更板を有する壁掛け型空気調和装置において、
上記風向変更板が、上記空気吹出し口の上側長手方向に配置された複数枚の上水平フラップと、上記空気吹出し口の下側長手方向に延在する一枚の下水平フラップと、上記空気吹出し口の短手方向に延在する複数枚の垂直フラップとを備えてなり、
上記上水平フラップのいずれか一方と他方とが所定の縦ポジッションへの保持と、上記縦ポジションを含む任意の縦ポジション間の範囲での移動とを交互に繰り返し可能に設けられ、上記下水平フラップが、上記所定の縦ポジションまたは他の縦ポジションに保持され、上記垂直フラップが、任意の横ポジション間の範囲を移動可能に設けられて通常安定制御されるよう構成されたことを特徴とする壁掛け型空気調和装置。
【請求項２】
空気調和機本体の空気吹出し口に風向変更板を有する壁掛け型空気調和装置において、
上記風向変更板が、上記空気吹出し口の上側長手方向に配置された複数枚の上水平フラップと、上記空気吹出し口の下側長手方向に延在する一枚の下水平フラップと、上記空気吹出し口の短手方向に延在する複数枚の垂直フラップとを備えてなり、
上記上水平フラップのいずれか一方と他方とが所定の縦ポジッションへの保持と、上記縦ポジションを含む任意の縦ポジション間の範囲での順次移動とを交互に繰り返し可能に設けられ、上記下水平フラップが、順次移動する上記上水平フラップに同期して順次移動可能に設けられ、上記垂直フラップが、任意の横ポジション間の範囲を移動可能に設けられて通常安定制御されるよう構成されたことを特徴とする壁掛け型空気調和装置。
【請求項３】
空気調和機本体の空気吹出し口に風向変更板を有する壁掛け型空気調和装置において、
上記風向変更板が、上記空気吹出し口の上側長手方向に配置された複数枚の上水平フラップと、上記空気吹出し口の下側長手方向に延在する一枚の下水平フラップと、上記空気吹出し口の短手方向に延在する複数枚の垂直フラップとを備えてなり、
上記上水平フラップと上記下水平フラップとが、同一または異なった縦ポジッションに保持され、上記垂直フラップが、任意の横ポジション間の範囲を移動可能に設けられて通常安定制御されるよう構成されたことを特徴とする壁掛け型空気調和装置。
【請求項４】
上記垂直フラップは、空気調和機本体の被空調室への据付位置に応じて、任意の横ポジション間の範囲が変更されるよう構成されたことを特徴とする請求項１乃至３のいずれかに記載の壁掛け型空気調和装置。
【請求項５】
上記垂直フラップは、空気調和機本体の被空調室への据付位置に応じて、当該被空調室の中央側へ暖気或いは冷気を導く横ポジションに保持される時間が、他の横ポジションに保持される時間よりも長く設定されることを特徴とする請求項１乃至４のいずれかに記載の壁掛け型空気調和装置。
【請求項６】
運転開始時には、上水平フラップ及び下水平フラップが所定の縦ポジションに保持され、垂直フラップが所定の横ポジションに保持される立ち上げ制御が実施可能に構成されたことを特徴とする請求項１乃至５のいずれかに記載の壁掛け型空気調和装置。
【請求項７】
上記立ち上げ制御と上記通常安定制御とが、設定室温と実際の室温との偏差温度に基づいて切り換えられ、立ち上げ制御から通常安定制御へ切り換える偏差温度と、通常安定制御から立ち上げ制御へ切り換える偏差温度とが異なって設定されたことを特徴とする請求項６に記載の壁掛け型空気調和装置。
【請求項８】
空気調和機本体の空気吹出し口に風向変更板を有する壁掛け型空気調和装置において、
上記風向変更板が、上記空気吹出し口の上側長手方向に配置された複数枚の上水平フラップと、上記空気吹出し口の下側長手方向に延在する一枚の下水平フラップとを備えてなり、
上記上水平フラップが、任意の縦ポジション間の範囲で、互いに隣接する一方と他方が互いに反対方向にスイング可能に設けられ、上記下水平フラップが、上記上水平フラップのスイング範囲よりも狭い範囲でスイング可能に構成されたことを特徴とする壁掛け型空気調和装置。
【請求項９】
上記上水平フラップ及び下水平フラップは、それぞれのスイング動作の過程で、全てが同一の縦ポジションに位置づけられた後、同期してそれぞれのスイング動作を実行するよう構成されたことを特徴とする請求項８に記載の壁掛け型空気調和装置。
【請求項１０】
上記上水平フラップにおける任意の縦ポジション間の範囲は、暖房運転時に、空気調和機本体の鉛直下方から斜め下方に到る範囲内に設定され、冷房運転時に、上記空気調和機本体の斜め下方から水平位置に到る範囲内に設定され、ランドリー運転時に、上記空気調和機本体の鉛直下方から水平位置に到る範囲内に設定されるよう構成されたことを特徴とする請求項１乃至９のいずれかに記載の壁掛け型空気調和装置。
【発明の詳細な説明】
【０００１】
【発明の属する技術分野】
本発明は、空気調和機本体の空気吹出し口に風向変更板を備えた壁掛け型空気調和装置に関する。
【０００２】
【従来の技術】
一般に、空気調和機本体のスクロール部と舌部とで囲まれた空気吹出し口内に風向変更板を備えた壁掛け型空気調和装置が知られている。この種の壁掛け型空気調和装置では、風向変更板を、例えば二枚の水平フラップと複数枚の垂直フラップとで構成し、これら水平フラップと垂直フラップの向きを変えることによって、空気吹出し口からの吹出し気流の方向を制御できるように構成されている。
【０００３】
例えば、冷房運転時には、気流をほぼ水平に吹出し、気流の到達距離を増大させる制御が行われ、暖房運転時には、気流をほぼ垂直下方に吹出し、床面に沿った気流を形成する制御が行われる。
【０００４】
【発明が解決しようとする課題】
しかし、二枚の水平フラップと複数枚の垂直フラップからなる従来の構成では、暖房運転時、或いは冷房運転時に、被空調室内にむらなく、すみずみまで暖かい空気、或いは冷たい空気を到達させることが困難である。
【０００５】
本発明の目的は、上述の事情を考慮してなされたものであり、暖気或いは冷気を被空調室内の隅々まで到達させて、この被空調室内を均一に空気調和させることができる壁掛け型空気調和装置を提供することにある。
【０００６】
【課題を解決するための手段】
請求項１に記載の発明は、空気調和機本体の空気吹出し口に風向変更板を有する壁掛け型空気調和装置において、上記風向変更板が、上記空気吹出し口の上側長手方向に配置された複数枚の上水平フラップと、上記空気吹出し口の下側長手方向に延在する一枚の下水平フラップと、上記空気吹出し口の短手方向に延在する複数枚の垂直フラップとを備えてなり、上記上水平フラップのいずれか一方と他方とが所定の縦ポジッションへの保持と、上記縦ポジションを含む任意の縦ポジション間の範囲での移動とを交互に繰り返し可能に設けられ、上記下水平フラップが、上記所定の縦ポジションまたは他の縦ポジションに保持され、上記垂直フラップが、任意の横ポジション間の範囲を移動可能に設けられて通常安定制御されるよう構成されたことを特徴とするものである。
【０００７】
請求項２に記載の発明は、空気調和機本体の空気吹出し口に風向変更板を有する壁掛け型空気調和装置において、上記風向変更板が、上記空気吹出し口の上側長手方向に配置された複数枚の上水平フラップと、上記空気吹出し口の下側長手方向に延在する一枚の下水平フラップと、上記空気吹出し口の短手方向に延在する複数枚の垂直フラップとを備えてなり、上記上水平フラップのいずれか一方と他方とが所定の縦ポジッションへの保持と、上記縦ポジションを含む任意の縦ポジション間の範囲での順次移動とを交互に繰り返し可能に設けられ、上記下水平フラップが、順次移動する上記上水平フラップに同期して順次移動可能に設けられ、上記垂直フラップが、任意の横ポジション間の範囲を移動可能に設けられて通常安定制御されるよう構成されたことを特徴とするものである。
【０００８】
請求項３に記載の発明は、空気調和機本体の空気吹出し口に風向変更板を有する壁掛け型空気調和装置において、上記風向変更板が、上記空気吹出し口の上側長手方向に配置された複数枚の上水平フラップと、上記空気吹出し口の下側長手方向に延在する一枚の下水平フラップと、上記空気吹出し口の短手方向に延在する複数枚の垂直フラップとを備えてなり、上記上水平フラップと上記下水平フラップとが、同一または異なった縦ポジッションに保持され、上記垂直フラップが、任意の横ポジション間の範囲を移動可能に設けられて通常安定制御されるよう構成されたことを特徴とするものである。
【０００９】
請求項４に記載の発明は、請求項１乃至３のいずれかに記載の発明において、上記垂直フラップは、空気調和機本体の被空調室への据付位置に応じて、任意の横ポジション間の範囲が変更されるよう構成されたことを特徴とするものである。
【００１０】
請求項５に記載の発明は、請求項１乃至４のいずれかに記載の発明において、上記垂直フラップは、空気調和機本体の被空調室への据付位置に応じて、当該被空調室の中央側へ暖気或いは冷気を導く横ポジションに保持される時間が、他の横ポジションに保持される時間よりも長く設定されることを特徴とするものである。
【００１１】
請求項６に記載の発明は、請求項１乃至５のいずれかに記載の発明において、運転開始時には、上水平フラップ及び下水平フラップが所定の縦ポジションに保持され、垂直フラップが所定の横ポジションに保持される立ち上げ制御が実施可能に構成されたことを特徴とするものである。
【００１２】
請求項７に記載の発明は、請求項６に記載の発明において、上記立ち上げ制御と上記通常安定制御とが、設定室温と実際の室温との偏差温度に基づいて切り換えられ、立ち上げ制御から通常安定制御へ切り換える偏差温度と、通常安定制御から立ち上げ制御へ切り換える偏差温度とが異なって設定されたことを特徴とするものである。
【００１３】
請求項８に記載の発明は、空気調和機本体の空気吹出し口に風向変更板を有する壁掛け型空気調和装置において、上記風向変更板が、上記空気吹出し口の上側長手方向に配置された複数枚の上水平フラップと、上記空気吹出し口の下側長手方向に延在する一枚の下水平フラップとを備えてなり、上記上水平フラップが、任意の縦ポジション間の範囲で、互いに隣接する一方と他方が互いに反対方向にスイング可能に設けられ、上記下水平フラップが、上記上水平フラップのスイング範囲よりも狭い範囲でスイング可能に構成されたことを特徴とするものである。
【００１４】
請求項９に記載の発明は、請求項８に記載の発明において、上記上水平フラップ及び下水平フラップは、それぞれのスイング動作の過程で、全てが同一の縦ポジションに位置づけられた後、同期してそれぞれのスイング動作を実行するよう構成されたことを特徴とするものである。
【００１５】
請求項１０に記載の発明は、請求項１乃至９のいずれかに記載の発明において、上記上水平フラップにおける任意の縦ポジション間の範囲は、暖房運転時に、空気調和機本体の鉛直下方から斜め下方に到る範囲内に設定され、冷房運転時に、上記空気調和機本体の斜め下方から水平位置に到る範囲内に設定され、ランドリー運転時に、上記空気調和機本体の鉛直下方から水平位置に到る範囲内に設定されるよう構成されたことを特徴とするものである。
【００１６】
請求項１、２、３または１０に記載の発明には、次の作用がある。
【００１７】
上水平フラップまたは下水平フラップの一つが任意の縦ポジション間の範囲を移動することから、空気吹出し口からの暖気或いは冷気を波打たせながら被空調室内へ導くことができるとともに、上水平フラップまたは下水平フラップの他の一つが所定の縦ポジションに保持されるので、この他の一つのフラップにて案内された暖気或いは冷気が、波打って吹き出される暖気或いは冷気を搬送して遠方まで到達させることができる。この結果、暖気或いは冷気を被空調室内の隅々まで到達させて、この被空調室内を均一に空気調和させることができる。
【００１８】
請求項４に記載の発明には、次の作用がある。
【００１９】
垂直フラップは、空気調和機本体の被空調室への据付位置に応じて、任意の横ポジション間の範囲が変更されることから、例えば、空気調和機本体が被空調室の右側に据え付けられた場合には、任意の横ポジション間の範囲が左側へシフトして、被空調室の中央側へ暖気或いは冷気を導くことができる。このため、空気吹出し口から吹き出される暖気または冷気を被空調室の中央側へ導くことができ、横フラップを介して被空調室の全体に均一に空気調和を実施できる。
【００２０】
請求項５に記載の発明には、次の作用がある。
【００２１】
垂直フラップは、空気調和機本体が被空調室に据え付けられる位置に応じて、当該被空調室の中央側へ暖気或いは冷気を導く横ポジションに保持される時間が、他の横ポジションに保持される時間よりも長く設定されることから、この場合も、空気吹出し口から吹き出される暖気または冷気を、横フラップを介して被空調室の全体に均一に導くことができる。
【００２２】
請求項６に記載の発明には、次の作用がある。
【００２３】
運転開始時に、上水平フラップ及び下水平フラップが所定の縦ポジションに保持され、垂直フラップが所定の横ポジションに保持される立ち上げ制御が実施されることから、この立ち上げ制御によって、運転開始時に空気吹出し口からの暖気或いは冷気を被空調室の特定位置に集中的に導いて、迅速な空気調和を実施できる。
【００２４】
請求項７に記載の発明には、次の作用がある。
【００２５】
立ち上げ制御から通常安定制御へ切り換える偏差温度と、通常安定制御から立ち上げ制御へ切り換える偏差温度とが異なって設定されたことから、立ち上げ制御と通常安定制御とが頻繁に切り換わるチャタリングを防止できる。
【００２６】
請求項８に記載の発明には、次の作用がある。
【００２７】
上水平フラップが、任意の縦ポジション間の範囲で、互いに隣接する一方と他方が互いに反対方向にスイングすることから、空気吹出口からの暖気或いは冷気を波打たせることができ、また、下水平フラップが、上水平フラップのスイング範囲よりも狭い範囲でスイングすることから、この下水平フラップにて案内された暖気或いは冷気が、上水平フラップにより波打たれた暖気或いは冷気を搬送して遠方へ到達させることができる。この結果、暖気或いは冷気を被空調室内の隅々まで到達させて、この被空調室内を均一に空気調和させることができる。
【００２８】
請求項９に記載の発明には、次の作用がある。
【００２９】
上水平フラップ及び下水平フラップが、それぞれのスイング動作の過程で、全てが同一の縦ポジションに位置づけられた後、同期してそれぞれのスイング動作を実行することから、スイング動作する上水平フラップ及び下水平フラップの動作位置関係を常に良好に確保できる。
【００３０】
【発明の実施の形態】
以下、本発明の実施の形態を、図面に基づき説明する。
【００３１】
図１は、本発明に係る壁掛け型空気調和装置の一実施の形態を示す縦断面図である。１は空気調和機本体を示しており、この本体１は壁３に据え付けられている。この本体１内には室内側熱交換器５と、クロスフローファン７とが設置されている。
【００３２】
この本体１の上部１Ａには、上部吸い込み口９がグリル状に一体的に形成されている。この上部１Ａの前縁部１Ｂには、吸い込みグリル１１が上端１１Ａを、図示しない支点を中心にヒンジ連結した状態で、下端１１Ｂを空気調和機本体１前面から開放し得るように取り付けられている。
【００３３】
この吸い込みグリル１１の内側には、フィルタ素材を有した吸い込みフィルタ１３が、昇降自在に取り付けられている。
【００３４】
空気調和機本体１の下部には、スクロール部１７と舌部１９とで囲まれた空気吹出し口２１が形成され、この空気吹出し口２１内には、風向変更板２３が配置されている。この風向変更板２３は、空気吹出し口２１の下側長手方向に延在する幅狭の下水平スラップ２４と、空気吹出し口２１の上側長手方向に延在する上水平フラップ２５と、空気吹出し口２１の短手方向に延在する複数枚の垂直フラップ２６とを備えて構成されている。空気吹出し口２１内の最も狭まった上流位置には、イオン発生装置２７が取り付けられている。
【００３５】
図２に示すように、下水平スラップ２４は一枚の幅狭の細長いフラップであり、上水平フラップ２５は下水平スラップ２４よりも幅広の、長手方向に分割された二枚の上水平フラップ２５Ａ、２５Ｂで構成されている。それぞれのフラップ２４、２５Ａ、２５Ｂは、それぞれ独立した直流ステッピングモータに接続され、例えば、上水平フラップ２５Ａ及び２５Ｂは、図３に示すように、それぞれが独立して位相をずらした状態で上下に往復移動可能に構成されている（後に詳説する）。
【００３６】
複数枚の垂直フラップ２６は、図４に示すように、一枚の細長いプレート３４上に回動自在に取り付けられ、各垂直フラップ２６は、バー３２によって相互に連結されている。そして、相互に連結された各垂直フラップ２６の内、図中で右端の垂直フラップ２６Ａが、図示を省略した直流ステッピングモータの駆動軸に連結され、このモータが正逆回転されることにより、各垂直フラップ２６が同期して姿勢制御（往復移動）される仕組みになっている。
【００３７】
ところで、空気調和機本体１は、図５に示すように、被空調室４１内の略中央に据え付けられたり（空気調和機本体１Ｘ）、被空調室４１内の右側に据え付けられたり（空気調和機本体１Ｙ）、被空調室４１内の左側に据え付けられる（空気調和機本体１Ｚ）。この空気調和機本体１の据付位置に応じて、垂直フラップ２６の往復移動する範囲が、図７に示す第１往復移動範囲Ｗ１、第２往復移動範囲Ｗ２、第３往復移動範囲Ｗ３に変更される。
【００３８】
つまり、空気調和機本体１が被空調室４１の略中央に位置づけられた場合には、図７（Ａ）に示すように、垂直フラップ２６の第１往復移動範囲Ｗ１が４等分されて、この第１往復移動範囲Ｗ１内に、空気吹出し口２１の中心から左右均等に５つの横ポジションＣ▲１▼、Ｃ▲２▼、Ｃ▲３▼、Ｃ▲４▼及びＣ▲５▼が設定される。これら５つの横ポジションＣ▲１▼〜Ｃ▲５▼は気流の方向を示しており、例えば横ポジションＣ▲１▼では、全ての垂直フラップ２６が同期して、横ポジションＣ▲１▼に示す方向と略平行に姿勢制御される。
【００３９】
そして、全ての垂直フラップ２６は、空気吹出し口２１の中心から左右均等に振り分けられた第１往復移動範囲Ｗ１内でスイングし、若しくは各横ポジションＣ▲１▼〜Ｃ▲５▼のいずれかに保持され、または横ポジションＣ▲１▼〜Ｃ▲５▼のうち任意の横ポジション間で移動可能に設けられる。
【００４０】
また、空気調和機本体１が被空調室４１の右側に据え付けられた場合には、図７（Ｂ）に示すように、第１往復移動範囲Ｗ１内の右側の移動範囲αをマスクし、この移動範囲αを除外した残りの第２往復移動範囲Ｗ２が４等分されて、この第２往復移動範囲Ｗ２内に、新たな横ポジションＲ▲１▼、Ｒ▲２▼、Ｒ▲３▼、Ｒ▲４▼及びＲ▲５▼が設定される。上記移動範囲αは、第１往復移動範囲Ｗ１の略１／４である。
【００４１】
そして、全ての垂直フラップ２６は、第２往復移動範囲Ｗ２内でスイングし、若しくは各横ポジションＲ▲１▼〜Ｒ▲５▼のいずれかに保持され、または横ポジションＲ▲１▼〜Ｒ▲５▼のうち任意の横ポジション間で移動可能に設けられる。これによって、空気吹出し口２１からの吹出し空気は、マスクされた移動範囲αへは供給されず、空気調和機本体１に対し左方向で被空調室４１の中央側へ供給される。
【００４２】
また、空気調和機本体１が被空調室４１の左側に据え付けられた場合には、図７（Ｃ）に示すように、第１往復移動範囲Ｗ１の左側の移動範囲βをマスクし、この移動範囲βを除外した残りの第３往復移動範囲Ｗ３が４等分されて、この第３往復移動範囲Ｗ３内に新たな横ポジションＬ▲１▼、Ｌ▲２▼、Ｌ▲３▼、Ｌ▲４▼及びＬ▲５▼が設定される。上記移動範囲βは、第１往復移動範囲Ｗ１の略１／４である。
【００４３】
そして、全ての垂直フラップ２６は、第３往復移動範囲Ｗ３内でスイングし、若しくは各横ポジションＬ▲１▼〜Ｌ▲５▼のいずれかに保持され、または横ポジションＬ▲１▼〜Ｌ▲５▼のうち任意の横ポジション間で移動可能に設けられる。これによって、空気吹出し口２１からの吹出し空気は、マスクされた移動範囲βへは供給されず、空気調和機本体１に対し右方向で被空調室４１の中央側へ供給される。
【００４４】
一方、図３に示す前記上水平フラップ２５Ａ、２５Ｂ及び下水平フラップ２４が往復移動可能な第１往復移動範囲Ｈ１は、図６に示すように５等分されて、この第１往復移動範囲Ｈ１内に６つの縦ポジッションＩ▲１▼、Ｉ▲２▼、Ｉ▲３▼、Ｉ▲４▼、Ｉ▲５▼及びＩ▲６▼が設定される。上記縦ポジッションＩ▲１▼が、空気調和機本体１に対し垂直下方に位置するポジションであり、上記縦ポジッションＩ▲６▼が空気調和機本体１に対し水平に位置するポジションである。縦ポジッションＩ▲３▼及びＩ▲４▼が空気調和機本体１に対し斜め下方に位置するポジションである。
【００４５】
上水平フラップ２５Ａ、２５Ｂ及び下水平フラップ２４は、各縦ポジッションＩ▲１▼〜Ｉ▲６▼間をスイングし、若しくは各縦ポジッションＩ▲１▼〜Ｉ▲６▼のいずれかに保持され、縦ポジッションＩ▲１▼〜Ｉ▲６▼のうち任意の縦ポジション間を移動可能に構成される。そして、これらの上水平フラップ２５Ａ、２５Ｂ及び下水平フラップ２４は、暖房運転時に縦ポジッションＩ▲１▼〜Ｉ▲４▼間の第２往復移動範囲Ｈ２で移動可能に設けられ、冷房運転時に縦ポジッションＩ▲３▼〜Ｉ▲６▼間の第３往復移動範囲Ｈ３で移動可能に設けられ、ランドリー運転時に縦ポジッションＩ▲１▼〜Ｉ▲６▼間の第１往復移動範囲Ｈ１で移動可能に設けられる。
【００４６】
さて、上述のように構成された上水平フラップ２５Ａ、２５Ｂ、下水平フラップ２４及び垂直フラップ２６を用いて、空気吹出し口２１から暖気または冷気を吹き出す気流制御には、自動気流制御とスイング気流制御とがある。
【００４７】
［Ａ］自動気流制御
この自動気流制御は、上水平フラップ２５Ａ、２５Ｂ、下水平フラップ２４及び垂直フラップ２６を制御する制御モードであり、これらの上水平フラップ２５Ａ、２５Ｂ、下水平フラップ２４及び垂直フラップ２６を、それぞれの往復移動範囲で移動または保持（停止）動作する。この自動気流制御には、空気調和装置の運転開始時における立ち上げ制御モードと、立ち上げ制御を経過した後の通常安定制御モードとがある。
【００４８】
（１）通常安定制御モード
この通常安定制御モードでは、暖房運転、冷房運転、ドライ運転またはランドリー運転のいずれの場合においても、垂直フラップ２６は、空気調和機本体１の据付位置が被空調室４１の中央であるときに、任意の横ポジション間の範囲（例えば横ポジションＣ▲１▼〜Ｃ▲５▼間）を移動し、空気調和機本体１の据付位置が被空調室４１の右側であるときに、任意の横ポジション間の範囲（例えば横ポジションＲ▲１▼〜Ｒ▲５▼間）を移動し、空気調和機本体１の据付位置が被空調室４１の左側であるときに、任意の横ポジションの範囲（例えば横ポジションＬ▲１▼〜Ｌ▲５▼間）を移動する。
【００４９】
また、上述のように、空気調和機本体１が被空調室４１の右側または左側に据え付けられた場合で、暖房または冷房運転の時には、垂直フラップ２６は、空気吹出し口２１から被空調室４１の中央側へ暖気または冷気を導く横ポジション（右側据付の場合には横ポジションＲ▲１▼、Ｒ▲２▼及びＲ▲３▼；左側据付の場合には横ポジションＬ▲３▼、Ｌ▲４▼及びＬ▲５▼）に保持される時間が、他のポジションに保持される時間よりも長く設定される。これにより、被空調室４１の中央側への暖気または冷気の供給量が増大して、被空調室４１の全体が均一に空気調和される。
【００５０】
一方、上水平フラップ２５Ａと上水平フラップ２５Ｂとは、暖房運転（ランドリー運転を含む）において、所定の縦ポジッション（例えば縦ポジッションＩ▲２▼）での保持（停止）と、任意の縦ポジッション間の範囲（例えば縦ポジッションＩ▲２▼〜Ｉ▲４▼間）での移動とを交互に繰り返す。また、下水平フラップ２４は、この暖房運転（ランドリー運転を含む）において、所定の縦ポジッション（例えば縦ポジッションＩ▲２▼）またはこの所定の縦ポジッションとは異なった縦ポジッションに保持（停止）される。
【００５１】
このように、任意の縦ポジッション間を移動する上水平フラップ２５Ａまたは２５Ｂにより、空気吹出し口２１から吹き出される暖気が波打たれ、また、所定の縦ポジッションに保持される上水平フラップ２５Ａ、２５Ｂ若しくは下水平フラップ２４により、上述のように波打たれた暖気が遠方まで搬送される。これによって、暖気が、図９に示すように床を這うように流れる。
【００５２】
また、上水平フラップ２５Ａと上水平フラップ２５Ｂとは、冷房運転時（ランドリー運転を含む）において、所定の縦ポジッション（例えば縦ポジッションＩ▲６▼）での保持（停止）と、任意の縦ポジッション間の範囲（例えば縦ポジッションＩ▲３▼〜Ｉ▲６▼間）での順次移動（縦ポジッションＩ▲４▼、Ｉ▲５▼、Ｉ▲５▼、Ｉ▲６▼と順次移動）とを交互に繰り返す。下水平フラップ２４は、この冷房運転時（ランドリー運転を含む）において、上述の如く順次移動する上水平フラップ２５Ａまたは２５Ｂに同期して、同一範囲を順次移動する。
【００５３】
このように任意の縦ポジッション間を順次移動する上水平フラップ２５Ａ、２５Ｂまたは下水平フラップ２４により空気吹出し口２１から吹き出される冷気が波打たれ、また所定の縦ポジッションに保持される上水平フラップ２５Ａ、２５Ｂ若しくは下水平フラップ２４により、上述のように波打たれた冷気が遠方まで搬送される。これによって、冷気が、図１０に示すように天井付近を遠方まで搬送される。
【００５４】
更に、ドライ運転時において、上水平フラップ２５Ａ、２５Ｂ及び下水平フラップ２４は、同一または異なった縦ポジッション（例えば同一の縦ポジッションＩ▲６▼）に保持（停止）される。これにより、空気調和機本体１からの空気が被空調室４１の遠方へ導かれる。
【００５５】
（２）立ち上げ制御モード
運転開始時における立ち上げ制御モードでは、上水平フラップ２５Ａ、２５Ｂ及び下水平フラップ２４は、所定の縦ポジッション、例えば暖房運転時（ランドリー運転を含む）には縦ポジッションＩ▲２▼に、冷房運転時（ランドリー運転を含む）及びドライ運転時には縦ポジッションＩ▲６▼に保持される。また、垂直フラップ２６は、被空調室４１の中央側へ暖気または冷気を導く所定の横ポジション、例えば暖房運転時（ランドリー運転を含む）には横ポジションＣ▲３▼、Ｒ▲２▼、Ｌ▲４▼に、冷房運転時（ランドリー運転を含む）及びドライ運転時には、横ポジションＣ▲３▼、Ｒ▲３▼、Ｌ▲３▼に保持される。このように上水平フラップ２５Ａ、２５Ｂ、下水平フラップ２４及び垂直フラップ２６が所定のポジションの保持されることにより、空気調和機本体１の空気吹出し口２１からの暖気または冷気が集中的に被空調室４１内へ導かれる。
【００５６】
（３）制御モードの切換
上述の立ち上げ制御モードと前述の通常安定制御モードとの切り換えは、設定室温と実際の室温との偏差温度に基づいて実施される。そして、図８に示すように、立ち上げ制御モードから通常安定制御モードへ切り換える偏差温度と、通常安定制御モードから立ち上げ制御モードへ切り換える偏差温度とが異なって設定される。
【００５７】
つまり、図８に示すように、立ち上げ制御モードから通常安定制御モードへの切り換えは、上記偏差温度が例えば２℃となった時に実施され、また、通常安定制御モードから立ち上げ制御モードへの切り換えは、偏差温度が例えば４℃となった時に実施される。これにより、立ち上げ制御モードと通常安定制御モードとが頻繁に切り換わるチャタリングが防止できる。
【００５８】
実際には、立ち上げ制御モードから通常安定制御モードへの切り換えは、設定室温と実際の室温との偏差温度が２℃となっても直ちに実施されず、この２℃となった時点から所定のマスク時間経過後、再度上記偏差温度が２℃以下となっている場合に実施される。これにより、立ち上げ制御モードと通常安定制御モードとの頻繁なチャタリングがより一層防止される。
【００５９】
［Ｂ］スイング気流制御
このスイング気流制御は、上水平フラップ２５Ａ、２５Ｂ及び下水平フラップ２４を制御する制御モードであり、これらの上水平フラップ２５Ａ、２５Ｂ及び下水平フラップ２４を第１往復移動範囲Ｈ１内の任意の範囲で停止（保持）させることなく、常に移動、つまりスイング動作させる。
【００６０】
このスイング気流制御では、上水平フラップ２５Ａ及び２５Ｂは、第１往復移動範囲Ｈ１における任意の縦ポジッションの範囲で互いに反対方向にスイング可能に設けられ、また、下水平フラップ２４は、上記上水平フラップ２５Ａ及び２５Ｂのスイング範囲よりも狭い範囲でスイング可能に設けられる。
【００６１】
つまり、暖房運転時には、上水平フラップ２５Ａ及び２５Ｂは、縦ポジッションＩ▲１▼〜Ｉ▲４▼の範囲で互いに反対方向にスイングされ、下水平フラップ２４は、縦ポジッションＩ▲１▼及びＩ▲２▼の範囲でスイングされる。また、冷房或いはドライ運転時には、上水平フラップ２５Ａ及び２５Ｂは、縦ポジッションＩ▲３▼〜Ｉ▲６▼の範囲で互いに反対方向にスイングされ、下水平フラップ２４は、縦ポジッションＩ▲３▼〜Ｉ▲５▼の範囲でスイングされる。更に、ランドリー運転時には、上水平フラップ２５Ａ及び２５Ｂは、縦ポジッションＩ▲１▼〜Ｉ▲６▼の範囲で互いに反対方向にスイングされ、下水平フラップ２４は、縦ポジッションＩ▲１▼〜Ｉ▲４▼の範囲でスイングされる。
【００６２】
このように広い範囲の縦ポジッション間をスイングする上水平フラップ２５Ａ及び２５Ｂによって、空気吹出し口２１から吹き出される暖気或いは冷気が波打たれ、狭い範囲の縦ポジッション間をスイングする下水平フラップ２４によって案内された暖気或いは冷気が、上水平フラップ２５Ａ及び２５Ｂにより波打たれた暖気或いは冷気を搬送して遠方へ到達させる。暖房運転時には、暖気は、図９に示すように床を這うように流れ、冷房またはドライ運転時には、冷気は、図１０に示すように天井付近を遠方まで搬送される。
【００６３】
また、上水平フラップ２５Ａ、２５Ｂ及び下水平フラップ２４は、それぞれのスイング動作の過程で、全てが同一の縦ポジッションに位置づけられた後に、同期してそれぞれのスイング動作を実行する。例えば、暖房運転時に、上水平フラップ２５Ａは縦ポジッションＩ▲１▼、Ｉ▲２▼、Ｉ▲４▼の各ポジションを順次移動し、上水平フラップ２５Ｂは縦ポジッションＩ▲４▼、Ｉ▲２▼、Ｉ▲１▼の各ポジションを順次移動し、下水平フラップ２４は、縦ポジッションＩ▲１▼、Ｉ▲２▼、Ｉ▲１▼の各ポジションを順次移動してスイングする。この動作過程で、上水平フラップ２５Ａ、２５Ｂ及び下水平フラップ２４は、必ず同一の縦ポジッションＩ▲２▼に同時に至り、この縦ポジッションＩ▲２▼からそれぞれの横ポジションへ移動する。これにより、上水平フラップ２５Ａ、２５Ｂ及び下水平フラップ２４の動作位置関係が常に良好に確保される。
【００６４】
以上のように構成されたことから、上記実施の形態によれば、次の効果▲１▼〜▲８▼を奏する。
【００６５】
▲１▼上水平フラップ２５Ａ、２５Ｂまたは下水平フラップ２４の１つが、第１往復移動範囲Ｈ１における任意の縦ポジッション間の範囲を移動することから、空気調和機本体１における空気吹出し口２１から吹き出される暖気或いは冷気を、波打たせながら被空調室４１内へ導くことができると共に、上記上水平フラップ２５Ａ、２５Ｂまたは下水平フラップ２４の他の１つが、第１往復移動範囲Ｈ１における所定の縦ポジッションに保持されるので、この他の１つのフラップにて案内された暖気或いは冷気が、上述の如く波打って吹き出される暖気或いは冷気を搬送して遠方まで到達させることができる。この結果、暖気或いは冷気を被空調室４１内の隅々まで到達させて、この被空調室４１内を均一に空気調和させることができる。
【００６６】
▲２▼垂直フラップ２６は、空気調和機本体１の被空調室４１への据付位置に応じて、第１往復移動範囲Ｗ１から第２往復移動範囲Ｗ２または第３往復移動範囲Ｗ３へと変更されることから、例えば、空気調和機本体１が被空調室４１の右側に据え付けられた場合には、第１往復移動範囲Ｗ１から第２往復移動範囲Ｗ２へと左側へシフトして、被空調室４１の中央側へ暖気或いは冷気を導くことができる。このため、空気吹出し口２１から吹き出される暖気または冷気を被空調室４１の中央側へ導くことができ、垂直フラップ２６を介して被空調室４１の全体に均一に空気調和を実施できる。
【００６７】
▲３▼垂直フラップ２６は、空気調和機本体１が被空調室４１の右側または左側に据え付けられる場合には、この据付位置に応じて、当該被空調室４１の中央側へ暖気或いは冷気を導く横ポジションに保持される時間が、他の横ポジションに保持される時間よりも長く設定されることから、この場合も、空気調和機本体１の空気吹出し口２１から吹き出される暖気または冷気を、垂直フラップ２６を介して被空調室４１の全体に均一に導くことができる。
【００６８】
▲４▼これら▲１▼〜▲３▼の結果、例えば図１１に示すように空気調和機本体１が被空調室４１の右側に据え付けられた場合、空気調和機本体１の空気吹出し口２１から吹き出される暖気或いは冷気の気流の中心Ｘは、図７（Ａ）に示す従来例の如く被空調室４１の右側に偏るのではなく、図７（Ｂ）に示すように被空調室４１の略中央に位置づけられる。また、空気吹出し口２１から吹き出される暖気或いは冷気による被空調室４１内の温度勾配は、図７（Ｃ）に示す従来例の如く急激に変化するものではなく、図７（Ｄ）に示すように緩やかに変化する。
【００６９】
▲５▼自動気流制御において、空気調和装置の運転開始時に、上水平フラップ２５Ａ、２５Ｂ及び下水平フラップ２４が所定の縦ポジッションに保持され、垂直フラップ２６が所定の横ポジションに保持される立ち上げ制御モードが実施されることから、この立ち上げ制御モードによって、運転開始時に空気調和機本体１の空気吹出し口２１から吹き出される暖気或いは冷気を被空調室４１の特定位置に集中的に導いて、迅速な空気調和を実施できる。
【００７０】
▲６▼自動気流制御において、立ち上げ制御モードから通常安定制御モードへ切り換える偏差温度と、通常安定制御モードから立ち上げ制御モードへ切り換える偏差温度とが異なって設定されたことから、立ち上げ制御モードと通常安定制御モードとが頻繁に切り換わるチャタリングを防止できる。
【００７１】
▲７▼スイング気流制御において、上水平フラップ２５Ａ及び２５Ｂが、任意の縦ポジッション間の範囲で互いに反対方向にスイングすることから、空気調和機本体１の空気吹出し口２１からの暖気或いは冷気を波打たせることができ、また、下水平フラップ２４が、上水平フラップ２５Ａ及び２５Ｂのスイング範囲よりも狭い範囲でスイングすることから、この下水平フラップ２４にて案内された暖気或いは冷気が、上水平フラップ２５Ａ及び２５Ｂにより波打たれた暖気或いは冷気を搬送して遠方へ到達させることができる。この結果、暖気或いは冷気を被空調室４１内の隅々まで到達させて、この被空調室４１内を均一に空気調和させることができる。
【００７２】
▲８▼スイング気流制御において、上水平フラップ２５Ａ及び２５Ｂが、それぞれのスイング動作の過程で、全てが同一の縦ポジッションに位置づけられた後、同期してそれぞれのスイング動作を実行することから、スイング動作する上水平フラップ２５Ａ及び２５Ｂの動作位置関係を常に良好に確保できる。
【００７３】
以上、本発明を上記実施の形態に基づいて説明したが、本発明はこれに限定されるものではない。
【００７４】
【発明の効果】
上述のように、本発明に係る壁掛け型空気調和装置によれば、暖気或いは冷気を被空調室内の隅々まで到達させて、この被空調室内を均一に空気調和させることができる。
【図面の簡単な説明】
【図１】本発明に係る壁掛け型空気調和装置の一実施の形態における空気調和機本体を示す縦断面図である。
【図２】図１の空気調和機本体を示す斜視図である。
【図３】図２の上水平フラップ及び下水平フラップの姿勢制御を示す斜視図である。
【図４】図２の空気調和機本体の分解斜視図である。
【図５】図２の空気調和機本体の据付例を示す斜視図である。
【図６】図２の上水平フラップ及び下水平フラップについて設定された縦ポジッションを示す図である。
【図７】図４の垂直フラップについて設定された横ポジションを示す図である。
【図８】立ち上げ制御モードと通常安定制御モードとの切り換えタイミングを説明するための図である。
【図９】図２の空気調和機から吹き出された暖気の流れを示す被空調室の側断面図である。
【図１０】図２の空気調和機から吹き出された冷気の流れを示す被空調室の側断面図である。
【図１１】（Ａ）及び（Ｂ）は、被空調室の右側に空気調和機本体が設置された場合における気流指向性を示す被空調室の平面図であり、（Ｃ）及び（Ｄ）は、被空調室の右側に空気調和機本体が設置された場合における被空調室内の温度分布を示す被空調室の平面図である。
【符号の説明】
１  空気調和機本体
２１  空気吹出し口
２３  風向変更板
２４  下水平フラップ
２５Ａ、２５Ｂ  上水平フラップ
２６  垂直フラップ
４１  被空調室
Ｃ▲１▼〜Ｃ▲５▼  横ポジション
Ｒ▲１▼〜Ｒ▲５▼  横ポジション
Ｌ▲１▼〜Ｌ▲５▼  横ポジション
Ｉ▲１▼〜Ｉ▲６▼ 縦ポジッション
Ｈ１ 第１往復移動範囲
Ｈ２ 第２往復移動範囲
Ｈ３ 第３往復移動範囲
Ｗ１ 第１往復移動範囲
Ｗ２ 第２往復移動範囲
Ｗ３ 第３往復移動範囲
【図１】
0003762686.tif 000002
【図２】
0003762686.tif 000003
【図３】
0003762686.tif 000004
【図４】
0003762686.tif 000005
【図５】
0003762686.tif 000006
【図６】
0003762686.tif 000007
【図７】
0003762686.tif 000008
【図８】
0003762686.tif 000009
【図９】
0003762686.tif 000010
【図１０】
0003762686.tif 000011
【図１１】
0003762686.tif 000012